(57)【要約】【課題】光記録媒体（１８）から読出しする及び／又は光記録媒体（１８）へ書込みする装置において、光スキャニングユニット（１６）によって横切ったトラックの正確な計数を可能とする。【解決手段】ＴＺＣ（トラッキングゼロクロス）信号に対応する信号及びＭＺＣ（ミラーゼロクロス）信号に対応する信号を、いわゆる差動位相検出法によってトラッキングを行うための位相比較器（１）の出力信号（ＯＵＴ１、ＯＵＴ２）から抽出する。【選択図】図１
2004507026.tif 000002
【特許請求の範囲】
【請求項１】
トラッキングデバイス（１７）と、少なくとも２つの感光領域を有する光検出器（２０）と、差動位相検出法によってトラッキングを行うための位相比較器（１）とを具備しており、前記トラッキングデバイス（１７）が前記位相比較器（１）の出力信号（ＯＵＴ１、ＯＵＴ２）から形成されるトラッキング信号（ＴＥ）に応じる形でスキャニングビームを制御する、光記録媒体から読出しする及び／又は光記録媒体へ書込みする装置におけるトラッキング方法であって、
スキャニングビームが前記光記録媒体のトラック中心を横切ったことを示す第１の制御信号と、スキャニングビームによって現在検出された光記録媒体の領域がトラックであるのか又は２つのトラック間の領域であるのかを提示する第２の制御信号との両方が、前記位相比較器（１）の出力信号（ＯＵＴ１、ＯＵＴ２）から形成され、前記トラッキングデバイス（１７）を制御するために使用されることを特徴とするトラッキング方法。
【請求項２】
前記第１の制御信号が、前記位相比較器（１）の出力信号（ＯＵＴ１、ＯＵＴ２）における、該位相比較器（１）の入力信号（ＩＮ１、ＩＮ２）間の時間差を表す時間差値及び関連する極性を評価することによって形成されることを特徴とする請求項１に記載の方法。
【請求項３】
前記第１の制御信号が、前記位相比較器（１）の出力信号（ＯＵＴ１、ＯＵＴ２）における、個々の時間差値及び関連する極性を統計学的に評価することによって形成されることを特徴とする請求項２に記載の方法。
【請求項４】
前記第１の制御信号が、前記位相比較器（１）の出力信号（ＯＵＴ１、ＯＵＴ２）における、個々の時間差値及び関連する極性をあらかじめ定めた期間内に決定し、その結果をあらかじめ定めた値と比較することによって形成されることを特徴とする請求項３に記載の方法。
【請求項５】
前記第１の制御信号が、前記位相比較器（１）の出力信号（ＯＵＴ１、ＯＵＴ２）における同一極性の時間差値のあらかじめ定めた最小数を計数し、該カウンタの内容を評価することによって形成されることを特徴とする請求項３又は４に記載の方法。
【請求項６】
同一極性の時間差値の前記最小数が前記位相比較器の出力信号（ＯＵＴ１、ＯＵＴ２）における時間差値のあらかじめ定めた数内で生じる場合に、前記第１の制御信号の状態が変化することを特徴とする請求項５に記載の方法。
【請求項７】
前記第２の制御信号が、前記位相比較器（１）の出力信号（ＯＵＴ１、ＯＵＴ２）における、該位相比較器（１）の入力信号（ＩＮ１、ＩＮ２）間の時間差を表す、時間差値の大きさを評価することによって形成されることを特徴とする請求項１から６のいずれか１項に記載の方法。
【請求項８】
前記第２の制御信号が、前記位相比較器（１）の出力信号（ＯＵＴ１、ＯＵＴ２）の個々の時間差値の大きさを統計学的に評価することによって形成されることを特徴とする請求項７に記載の方法。
【請求項９】
前記第２の制御信号が、前記位相比較器（１）の出力信号（ＯＵＴ１、ＯＵＴ２）の個々の時間差値の大きさをあらかじめ定めた期間内に平均し、その結果があらかじめ定めた時間差ウィンドウ内に存在するかどうかを調べることによって形成されることを特徴とする請求項８に記載の方法。
【請求項１０】
前記位相比較器（１）の出力信号（ＯＵＴ１、ＯＵＴ２）における時間差値のあらかじめ定めた数内に、その大きさがあらかじめ定めた時間差ウィンドウ内に存在している時間差値が特定の最小数存在する場合に、前記第２の制御信号の状態が変化することを特徴とする請求項９に記載の方法。
【請求項１１】
前記第２の制御信号が、前記位相比較器（１）の出力信号（ＯＵＴ１、ＯＵＴ２）内に含まれておりかつ前記第２の制御信号の生成において考慮される意図のないエッジシーケンスについての提示を含んでいる第３の制御信号（ＱＵＡＬＩＴＹ）によって訂正されることを特徴とする請求項１から１０のいずれか１項に記載の方法。
【請求項１２】
前記第３の制御信号（ＱＵＡＬＩＴＹ）が、前記位相比較器（１）の入力信号（ＩＮ１、ＩＮ２）から抽出されることを特徴とする請求項１１に記載の方法。
【請求項１３】
前記位相比較器（１）の一方の入力信号の特定のエッジシーケンスが該位相比較器（１）の他方の入力信号内にも含まれているかどうかを調べ、該調べたことによって、２つの入力信号（ＩＮ１、ＩＮ２）の１つより多いエッジが異なる順序を有していると確認した場合に、該エッジシーケンスは前記第２の制御信号の生成において考慮されものではないと認識し、それに応じて前記第３の制御信号（ＱＵＡＬＩＴＹ）を生成することを特徴とする請求項１２に記載の方法。
【請求項１４】
ｎ個のエッジのシーケンス内に含まれておりかつ考慮されるものではない、前記位相比較器（１）の入力信号（ＩＮ１、ＩＮ２）のエッジシーケンスの数が検出され、この数に従う形で、前記第３の制御信号（ＱＵＡＬＩＴＹ）が生成されることを特徴とする請求項１３に記載の方法。
【請求項１５】
前記第３の制御信号（ＱＵＡＬＩＴＹ）が、スキャニングビームによって現在検出された光記録媒体の領域が２つのトラック間の領域であることを示していることを特徴とする請求項１１から１４のいずれか１項に記載の方法。
【請求項１６】
スキャニングビームによって現在検出された光記録媒体の領域が乱されたかどうかを提示する第３の制御信号（ＱＵＡＬＩＴＹ）が前記位相比較器（１）の入力信号（ＩＮ１、ＩＮ２）から生成され、該第３の制御信号（ＱＵＡＬＩＴＹ）が前記トラッキングデバイス（１７）を制御するために使用されることを特徴とする請求項１から１５のいずれか１項に記載の方法。
【請求項１７】
トラッキングデバイス（１７）と、少なくとも２つの感光領域を有する光検出器（２０）と、差動位相検出法によってトラッキングを行うための位相比較器（１）とを具備する、光記録媒体から読出しする及び／又は光記録媒体へ書込みする装置であって、
前記位相比較器（１）の出力信号（ＯＵＴ１、ＯＵＴ２）に従い、スキャニングビームが前記光記録媒体のトラック中心を横切ったことを示す第１の制御信号を生成する第１の信号発生デバイス（４、５）と、前記位相比較器（１）の前記同一の出力信号（ＯＵＴ１、ＯＵＴ２）に従い、スキャニングビームによって現在検出された光記録媒体の領域がトラックであるのか又は２つのトラック間の領域であるのかを提示する第２の制御信号を生成する第２の信号発生デバイス（６、７）とを備えており、前記トラッキングデバイス（１７）が前記第１の制御信号及び前記第２の制御信号に従って制御されることを特徴とする光記録媒体から読出しする及び／又は光記録媒体へ書込みする装置。
【請求項１８】
前記第１の信号発生デバイス（４、５）が、前記第１の制御信号を、前記位相比較器（１）の出力信号（ＯＵＴ１、ＯＵＴ２）における、該位相比較器（１）の入力信号（ＩＮ１、ＩＮ２）間の時間差を表す時間差値及び関連する極性の評価に応じて形成するように構成されていることを特徴とする請求項１７に記載の装置。
【請求項１９】
前記第１の信号発生デバイス（４、５）が、前記第１の制御信号を、前記位相比較器（１）の出力信号（ＯＵＴ１、ＯＵＴ２）における、個々の時間差値及び関連する極性の統計学的評価に応じて形成するように構成されていることを特徴とする請求項１８に記載の装置。
【請求項２０】
前記第１の信号発生デバイス（４、５）が、前記位相比較器（１）の出力信号（ＯＵＴ１、ＯＵＴ２）における、個々の時間差値及び関連する極性をあらかじめ定めた期間内に平均し、その結果をあらかじめ定めた値と比較するように構成されていることを特徴とする請求項１９に記載の装置。
【請求項２１】
前記第１の信号発生デバイスが、前記位相比較器（１）の出力信号（ＯＵＴ１、ＯＵＴ２）における同一極性の時間差値のあらかじめ定めた最小数を計数するカウンタデバイス（４）と、該カウンタデバイス（４）の内容に従って前記第１の制御信号を形成する比較デバイス（５）とを備えていることを特徴とする請求項２０に記載の装置。
【請求項２２】
前記第２の信号発生デバイス（６、７）が、前記第２の制御信号を、前記位相比較器（１）の出力信号（ＯＵＴ１、ＯＵＴ２）における、該位相比較器（１）の入力信号（ＩＮ１、ＩＮ２）間の時間差を表す、時間差値の大きさの評価に応じて形成するように構成されていることを特徴とする請求項１７から２１のいずれか１項に記載の装置。
【請求項２３】
前記第２の信号発生デバイス（６、７）が、前記第２の制御信号を、前記位相比較器（１）の出力信号（ＯＵＴ１、ＯＵＴ２）の個々の時間差値の大きさの統計学的評価に応じて形成するように構成されていることを特徴とする請求項２２に記載の装置。
【請求項２４】
前記第２の信号発生デバイス（６、７）が、前記第２の制御信号を、前記位相比較器（１）の出力信号（ＯＵＴ１、ＯＵＴ２）の個々の時間差値の大きさをあらかじめ定めた期間内に平均し、その結果があらかじめ定めた時間差ウィンドウ内に存在するかどうかを調べることによって形成するように構成されていることを特徴とする請求項２３に記載の装置。
【請求項２５】
前記第２の信号発生デバイスが、前記位相比較器（１）の出力信号（ＯＵＴ１、ＯＵＴ２）のパルスのパルス長を検出するパルス長検出デバイス（７）を備えており、該検出したパルス長に応じて前記第２の制御信号を発生することを特徴とする請求項２２から２４のいずれか１項に記載の装置。
【請求項２６】
前記位相比較器（１）の出力信号（ＯＵＴ１、ＯＵＴ２）用に共通パルス長検出デバイス（７）が設けられており、該位相比較器（１）の前記出力信号（ＯＵＴ１、ＯＵＴ２）が、論理ＯＲ回路（６）を介して共通パルス長検出デバイス（７）へ送られることを特徴とする請求項２５に記載の装置。
【請求項２７】
前記位相比較器（１）の出力信号（ＯＵＴ１、ＯＵＴ２）用に独立した複数のパルス長検出デバイス（７）が設けられており、該パルス長検出デバイス（７）の出力信号が、前記第２の制御信号を発生するために論理ＡＮＤ回路へ送られることを特徴とする請求項２５に記載の装置。
【請求項２８】
前記パルス長検出デバイス（７）が、単安定マルチバイブレータ回路の形態で構成されていることを特徴とする請求項２７に記載の装置。
【請求項２９】
特にカウンタデバイス（２２）及びフリップフロップ回路（２４）の組み合わせの形態であるデジタルフィルタ回路が、前記独立したパルス長検出デバイス（７）及び前記論理ＡＮＤ回路間に設けられていることを特徴とする請求項２７又は２８に記載の装置。
【請求項３０】
前記位相比較器（１）の出力信号（ＯＵＴ１、ＯＵＴ２）内に含まれておりかつ前記第２の制御信号の生成において考慮される意図のないエッジシーケンスについての提示を含んでいる第３の制御信号（ＱＵＡＬＩＴＹ）を生成する訂正信号発生デバイス（８〜１１）を備えていることを特徴とする請求項１７から２９のいずれか１項に記載の装置。
【請求項３１】
前記訂正信号発生デバイス（８〜１１）が、前記位相比較器（１）に送られる入力信号（ＩＮ１、ＩＮ２）を監視し、前記位相比較器（１）の一方の入力信号の特定のエッジシーケンスが該位相比較器（１）の他方の入力信号内にも含まれているかどうかを調べ、該位相比較器（１）の入力信号において１つより多いエッジの順序が異なっているかどうかに応じて訂正信号（ＱＵＡＬＩＴＹ）を生成するように構成されていることを特徴とする請求項３０に記載の装置。
【請求項３２】
前記第２の信号発生デバイス（６、７）の出力信号及び前記訂正信号発生デバイス（８〜１１）の第３の制御信号が、その出力信号が前記第２の制御信号に対応する論理ＡＮＤ回路（１２）へ送られることを特徴とする請求項３０又は３１に記載の装置。
【発明の詳細な説明】
【０００１】
【発明の属する技術分野】
本発明は、請求項１のプリアンブルに記載されたトラッキング方法、即ちトラッキングデバイスと、少なくとも２つの感光領域を有する光検出器と、差動位相検出法によってトラッキングを行うための位相比較器とを具備しており、トラッキングデバイスが位相比較器の出力信号から形成されるトラッキング信号に応じる形でスキャニングビームを制御する、光記録媒体から読出しする及び／又は光記録媒体へ書込みする装置におけるトラッキング方法、並びに請求項１７のプリアンブルに記載された装置、即ちトラッキングデバイスと、少なくとも２つの感光領域を有する光検出器と、差動位相検出法によってトラッキングを行うための位相比較器とを具備する、光記録媒体から読出しする及び／又は光記録媒体へ書込みする装置に関する。
【０００２】
【従来の技術】
一般的なこの種の装置については、例えば特許文献１又は２に記載されている。これら特許文献１及び２には、トラッキングデバイス、即ち、いわゆる４分割検出器、２つの加算点、及びいわゆる作動位相検出法（ＤＰＤ）によるトラッキングのための位相比較器を有する装置が提案されている。４分割検出器の２つの検出素子それぞれからの出力信号は、２つの加算点の１つにそれぞれ送られて加算される。２つの加算点からの２つの出力信号は、位相比較器に送られる。位相比較器は、これら２つの信号の位相差を検出し、その結果に基いて、装置のトラッキングデバイスを制御するのに用いられるトラックエラー信号（トラッキングエラー信号、ＴＥ）を生成する。
【０００３】
光記録媒体から読出しする及び／又は光記録媒体へ書込みする従来の装置において、１つのトラックから他のトラックへの比較的大きなジャンプは、クロスすべき（横切るべき）トラック数を正確に計数することによって行われる。光スキャニングユニットの移動方向への正確な計数のために、いわゆるＴＺＣ（トラッキングゼロクロス）信号及びいわゆるＭＺＣ（ミラーゼロクロス）信号が生成され評価される。この場合、ＴＺＣ信号は、１つのトラックの中心又は２つのトラックの中心を現在横切っているかどうかの情報を提供する。ＮＺＣ信号は、光スキャニングユニットのスキャニングビームが、現在、トラック中心の近傍にあるかどうかを示す。ＴＺＣ信号及びＭＺＣ信号は、一例を挙げると、ＭＺＣ信号がほぼトラック近傍であることを示しかつ同時にＴＺＣ信号がトラック中心を現在横切っていると示しているときのみトラックレギュレータの切替えが適切となるため、トラッキング装置を制御するために用いられる。
【０００４】
ＴＺＣ信号及びＭＺＣ信号の助けを借り、トラック計数論理構成を使用することによって、横切ったトラックの数及び方向を計数することができる。２つのＴＺＣ信号及びＭＺＣ信号相互の位相から、横切ったトラックの数に関する情報と現在のトラックに対するスキャニングビームの移動方向及び位置に関する情報とを導き出すことができる。ディスクが偏心して搭載された場合又はアクチュエータがトラック方向に対して横切る方向に振動した場合、２つの信号間の位相から生成される方向情報のみによると、誤った計数を行う可能がある。この場合、ＴＺＣ信号及びＭＺＣ信号間の位相関係が、トラッククロシングの起こりえる最大のスピード範囲にわたって有効となる。ＴＺＣ信号及びＭＺＣ信号間の位相関係が適合できない場合、方向をもはや正確に認識することができず、トラックジャンプの正確性は、実際には大幅に低下する。
【０００５】
従来から知られていた、光記録媒体から読出しする及び／又は光記録媒体へ書込みする装置において、ＴＺＣ信号及びＭＺＣ信号は、通常、アナログ信号処理、即ちフィルタリング及び比較器によるゼロ比較、の助けを借りて生成される。例えば特許文献３に記載されているように、前述した作動位相検出法を適用することにより、ＴＺＣ信号は、位相比較器の出力から、即ちトラックエラー信号から、求めることができる。一方、ＭＺＣ信号は、４分割検出器の個々の検出素子の出力信号の加算出力をローパスフィルタでフィルタリングしたものから通常は求められる。
【０００６】
ＴＺＣ信号及びＭＺＣ信号間の位相は、公称では、＋９０°又は−９０°である。この極性はトラックに関するスキャニングビームの移動方向によって決まる。しかしながら、ＴＺＣ信号及びＭＺＣ信号を形成するための２つの信号の経路が互いに一時的に異なることが有り得るので、これら２つの信号間に信頼性のある一時的関係を自動的に確立することはできない。それぞれに使用される記録媒体の又はそれぞれに使用される装置の光学若しくは電気部品などの特定の性質は、ＴＺＣ信号及びＭＺＣ信号間に付加的な位相差をもたらし得る。この付加的な位相差が過度に大きい場合、正確なトラッキングは不可能である。
【０００７】
この問題を解決するために、特許文献３では、ＴＺＣ信号の経路に種々の遅延回路を挿入して上述した付加的な位相差を補償することを提案している。
【０００８】
【特許文献１】
ヨーロッパ特許第ＥＰ０４６７４９８Ａ２号公報
【特許文献２】
独国特許第ＤＥ１９７２３５４２Ａ１号公報
【特許文献３】
ヨーロッパ特許第ＥＰ０５３９９５９Ａ２号公報
【０００９】
【発明が解決しようとする課題】
しかしながら、この問題解決手法によると、付加的な部品を必要とし、さらに、十分な正確性を提供することができない。
【００１０】
従って本発明の目的は、ＴＺＣ信号及びＭＺＣ信号間の付加的な位相差発生を最大限防止でき、その結果、正確なトラック計数及びトラッキングが可能となる光記録媒体から読出しする及び／又は光記録媒体へ書込みする方法並びにそのための装置を提供することにある。
【００１１】
【課題を解決するための手段】
本発明によればこの目的は、請求項１に記載された特徴を有する方法、及び請求項１７に記載された特徴を有する装置によって達成される。
【００１２】
即ち、トラッキングデバイスと、少なくとも２つの感光領域を有する光検出器と、差動位相検出法によってトラッキングを行うための位相比較器とを具備しており、トラッキングデバイスが位相比較器の出力信号から形成されるトラッキング信号に応じる形でスキャニングビームを制御する、光記録媒体から読出しする及び／又は光記録媒体へ書込みする装置におけるトラッキング方法であって、スキャニングビームが光記録媒体のトラック中心を横切ったことを示す第１の制御信号と、スキャニングビームによって現在検出された光記録媒体の領域がトラックであるのか又は２つのトラック間の領域であるのかを提示する第２の制御信号との両方が、位相比較器の出力信号から形成され、トラッキングデバイスを制御するために使用されるトラッキング方法によって達成される。
【００１３】
さらに、トラッキングデバイスと、少なくとも２つの感光領域を有する光検出器と、差動位相検出法によってトラッキングを行うための位相比較器とを具備する、光記録媒体から読出しする及び／又は光記録媒体へ書込みする装置であって、位相比較器の出力信号に従い、スキャニングビームが光記録媒体のトラック中心を横切ったことを示す第１の制御信号を生成する第１の信号発生デバイスと、位相比較器の同一の出力信号に従い、スキャニングビームによって現在検出された光記録媒体の領域がトラックであるのか又は２つのトラック間の領域であるのかを提示する第２の制御信号を生成する第２の信号発生デバイスとを備えており、トラッキングデバイスが第１の制御信号及び第２の制御信号に従って制御される光記録媒体から読出しする及び／又は光記録媒体へ書込みする装置によって達成される。
【００１４】
請求項１及び１７に従属する請求項は、各々本発明の好ましい及び有利な実施形態を規定するものである。
【００１５】
本発明によれば、信号ＴＺＣ及びＭＺＣに対応する又はこれらに等価な信号が、差動位相検出法によってトラッキングを行うための位相比較器の出力信号から抽出される。これら信号が同一の原信号経路を有しているため、これら２つの信号間に追加の位相差は生じない。このため、横切ったトラックの正確な計数が可能となり、その結果、例えばＣＤ、ＣＤＩ、ＣＤ−ＲＯＭ、ＤＶＤ、ＣＤ−Ｒ、ＣＤ−ＲＷなどのあらゆる光記録媒体から読出しする及び／又はあらゆる光記録媒体へ書込みするために、正確なトラッキングを行うことができる。
【００１６】
トラック近傍について可能な最も正確な表示をＭＺＣ信号に対応する信号から抽出できるようにするため、ＭＺＣ信号に対応する信号のパルスに先立つことが許されない位相比較器の入力信号のエッジシーケンスが好ましくは検出され、上述の信号がフィルタリング又は訂正されることが推奨される。この訂正信号は、位相比較器の入力信号から得ることができ、例えば、記録媒体の現在スキャンした領域がスクラッチや指紋などによって乱されたかどうかの情報を含んでいる。乱された場合、この訂正信号は、ＴＺＣ信号及びＭＺＣ信号とは独立してトラッキングデバイスを制御する役割を基本的に果たす。
【００１７】
前述した信号を得るための処理及び対応する信号処理は、論理回路の形態で実施可能であり、集積回路上に集積化するように設計される。この方法によれば、外部／アナログ部品の必要数を低減することができる。
【００１８】
【発明の実施の形態】
以下、添付の図面を参照した例示的に示す好ましい実施形態によって、本発明をより詳しく説明する。
【００１９】
図１は、本発明の第１の例示的な実施形態として、光記録媒体から読出しする及び／又は光記録媒体へ書込みする本発明装置を示している。
【００２０】
光源１３は、偏光ビームスプリッタの一部として示されている半透過ミラー１５と対物レンズ１６とによって光記録媒体１８上にフォーカスされる光ビームを生成する。コリメータレンズ１４が、光源１３とミラー１５との間に設けられている。光記録媒体１８上に照射された光ビームは、反射されて凸レンズ１９を介して４分割検出器２０上に導かれる。４分割検出器２０は、図１では、即ち平面図では、９０°傾いて表示されており、４つの光検出素子Ａ、Ｂ、Ｃ及びＤを備えている。４分割検出器２０は、光記録媒体１８のトラック方向に対して横向きに位置しておりかつ一方が検出素子Ａ及びＢからなり他方が検出素子Ｃ及びＤからなる２つの検出器領域に分割可能である。
【００２１】
対物レンズ１６は、特定の動作又は制御信号に従いドライブユニット１７によって、光記録媒体１８の放射方向に駆動される。対物レンズ１６及びドライブユニット１７は、図示の装置のトラッキングデバイスの一部である。光記録媒体１８は、ディスクとして設計されており、ディスクドライブ（図１には示されていない）によって回転せしめられるように構成されている。
【００２２】
検出素子Ａ及びＣの出力端子は第１の加算点２１に接続されており、検出素子Ｂ及びＤの出力端子は第２の加算点２２に接続されている。対応する加算信号Ａ＋Ｃ及びＢ＋Ｄは、それぞれ入力信号ＩＮ１及びＩＮ２として位相比較器又は位相検出器１にそれぞれ送られる。位相比較器又は位相検出器１の出力側において、いわゆる差動位相検出法（ＤＰＤ法）により決定されかつ図１に示す制御可能なスイッチ２及び３とこれらスイッチに接続されているローパスフィルタＲ１、Ｃ１との助けを借りて以下の方法で得られるトラックエラー信号ＴＥを取り出すことができる。
【００２３】
２つの入力信号の一時的な間隔は、トラック偏位量の測定である。スキャニングビームがあるトラックのトラック中心を正確に検出した場合、位相比較器１の入力信号ＩＮ１及びＩＮ２は理論的に同一の形状及びシーケンスを有することとなる。これは、信号ＩＮ１及びＩＮ２が同時の立上り及び立下りエッジを有することを意味する。この場合、位相比較器の２つの出力は低レベル「Ｌ」のままとなりスイッチ２及び３はいずれも閉成しない。スキャニングビームがトラック中心に対して一定のまだ小さな変位を有している場合、信号ＩＮ１及びＩＮ２のシーケンスはいまだ同一であるが、それらのエッジはもはや同時であるとは保証できない。一例として、ＩＮ１の正又は負のエッジがＩＮ２より前であるとすると、出力信号ＯＵＴ１はエッジ間の時間だけスイッチ２を動作させる。これとは逆のシーケンスの場合、スイッチ３が出力信号ＯＵＴ２によって動作せしめられる。ＩＮ１及びＩＮ２のエッジのシーケンスがＲ１及びＣ１によって構成されるローパスフィルタの時定数に比較して速いため、トラックの偏位に比例した電圧がＣ１の端子間に発生し、その電圧の極性がトラック偏位の方向を表す。
【００２４】
同様に、信号ＯＵＴ１及びＯＵＴ２のパルス長はスキャニングビームのトラック中心からの偏位を表す。ただし、信号ＯＵＴ１及びＯＵＴ２のパルス長は、トラック偏位の大きさのみを表している。トラック偏位の方向は、２つの信号のどちらＯＵＴ１又はＯＵＴ２がトラック偏位に比例したパルスを出力するかによる。ＩＮ１及びＩＮ２に伴うエッジ対に応答して、位相検出器１の常に１つのみの出力がパルスを生成する。
【００２５】
理論的には、トラック中心への到達は、位相検出器１の２つの出力信号ＯＵＴ１及びＯＵＴ２がいかなるパルスをも発生させないという特徴を有する。実際には、このような状況は決して起こらない。スキャニングビームがトラック中心に近づくと、ＩＮ１及びＩＮ２に伴うエッジの順序はトラック中心へ到達する場合とは逆の傾向を持つ。しかしながら、個々の場合において、信号ＩＮ１及びＩＮ２のシーケンスは上述した傾向に従わない。従って、実際には、ＴＺＣ信号を得るためには、位相検出器１の２つの出力端子にＲＳフリップフロップを接続することは不十分である。トラック中心への到達による、極性の切替りによる、不定状態発生のため、ＲＳフリップフロップの出力は、トラック中心の近傍において頻繁に切替るであろう。このため、あいまいでないＴＺＣ信号は、「フィルタリング」によって、即ちカウンタの助けを借りて、のみ得ることができる。
【００２６】
図１に示すカウンタ４は、出力端子ＯＵＴ１におけるパルスを増大方向に計数し、出力端子ＯＵＴ２におけるパルスを減少方向に計数する。このカウンタ４は、そのカウンタの内容があらかじめ定めた値を上回る又は下回ることができないように構成されている。出力端子ＯＵＴ２より出力端子ＯＵＴ１において、平均してより多くのエッジが発生する場合、カウンタはその内容を減少させる傾向を有する。カウンタの内容がそのあらかじめ定めた計数限度間に存在するあらかじめ定めた値に到達すると、これがデジタル比較器５によって確認される。このあらかじめ定めた値に達しない場合、比較器５は信号ＴＺＣのレベルを変化させる。
【００２７】
上述した方法は、単なる例示である。実際に、ＴＺＣ信号を信頼性高く生成可能とするために、出力ＯＵＴ１及び出力ＯＵＴ２のエッジの数（即ち、単位時間当たりの又はあらかじめ定めた総エッジ数に対しての）を統計学上から定めることができる他の考えられる方法が存在することは言うまでもない。
【００２８】
前に述べたように、信号ＯＵＴ１及びＯＵＴ２のパルス長は、トラック偏位の大きさのみを表す。さらに、ＩＮ１及びＩＮ２に伴うエッジ対は、位相検出器１の常に１つのみの出力を動作させパルスを発生させる。例示的な実施形態において、ＭＺＣ信号に対応する信号が、論理ＯＲ機能６とパルス長検出器７との組み合わせによって得られる。
【００２９】
パルス長検出器７は、トラック偏位に比例するパルスのパルス長をあらかじめ定めたパルス長ＬＣと比較し、現在のトラック偏位がトラックの近傍においてあらかじめ定めた制限範囲内にあるかどうかを確かめる役割を有している。スキャニングビームがトラックに向かってゆっくりと動くと、一例であるが、位相検出器１の出力信号ＯＵＴ１のパルス長は、パルス長検出器７のあらかじめ定めたパルス長より小さくなるまでどんどん短くなる。これによりパルス長検出器７は、その出力信号を切替える。この場合、位相検出器１の他方の出力端子ＯＵＴ２には、いかなるパルスも現れない。
【００３０】
スキャニングビームがゆっくりとさらに動いてトラック中心を越えると、位相検出器１の他方の出力信号ＯＵＴ２のパルス長は、パルス長検出器７のあらかじめ定めたパルス長より大きくなるまでどんどん長くなり、パルス長検出器７はその出力信号を元通りに切替える。従って、パルス長検出器７の出力は、現在のトラック偏位がトラックの左又は右においてあらかじめ定めた制限範囲内にあることを示すウィンドウを生成する。
【００３１】
媒体上には多数のトラックが互いに並んで配置されているため、ＤＰＤ法によって得られたトラックエラー信号ＴＥは周期的な信号である。一例であるが、スキャニングビームが２つのトラック間の領域へ向かって（即ち、トラック中心から離れて）動いたとすると、位相検出器１の出力信号の１つのパルス長、従ってトラックエラー信号の値が増大する。この状態は、スキャニングビームが離れて行こうとするトラックを検出できる間は、生じている。スキャニングビームが２つのトラックの間に正確に位置すると、スキャニングビームが２つのトラックからの混ざり合った信号を検出するので、ＩＮ１及びＩＮ２のエッジのシーケンスは定まらなくなる。これらエッジのシーケンスは、この場合ランダムとなり、その結果得られるトラックエラー信号は小さな値となる。
【００３２】
スキャニングビームが次のトラックに向けてさらに動くと、次のトラックから発生するデータのシーケンスが再び定義され、トラックエラー信号の値は現在有効なトラック偏位を表す。
【００３３】
前述したように、トラック間のスキャニングの際中は、スキャニングビームが２つのトラックからの混ざり合った信号を検出するのでＩＮ１及びＩＮ２のエッジのシーケンスが定まらなくなる。このため、短いパルス長がこの領域において繰り返し発生せしめられる。このパルス長は、パルス長検出器７用にあらかじめ定められた値より短い。それにもかかわらずトラック近傍のみを特定する信号を発生するために、例えばカウンタによる又は補助信号の助けを借りたマスキングによる「フィルタリング」が必要なる。これについては、後に詳しく述べる。
【００３４】
既に述べたように、入力信号のシーケンスは、トラック中心と２つのトラックの間の領域とでは異なる。信号ＩＮ１及びＩＮ２のエッジのシーケンスは、トラック上では同一であり、トラック偏位に比例する変位のみを表す。しかしながら、トラック間では、信号ＩＮ１及びＩＮ２のシーケンスは、スキャニングビームが２つのトラックからの混ざり合った信号を検出するのでむしろランダムである。信号ＩＮ１及びＩＮ２の対となったエッジは、ここでは生じない。
【００３５】
図１の例示的な実施形態は、これがシーケンス検出器８の助けを借りて確認され得ることを示している。シーケンス検出器８は、一方の入力信号（即ち信号ＩＮ１）のハイ−ローシーケンスが同様にそれぞれ他方の信号（即ちＩＮ２）内に含まれているかどうかを識別する。この場合、最大で１つの（即ちＩＮ１の）エッジの順序が他方の（即ちＩＮ２の）エッジに対して変化可能である。少なくとも２つのエッジの順序がそれぞれ他方の信号に対して連続的に変化する場合、これは許された順序に対する違反であり、システムがトラック間であるとの指標である。このような許されない順序はトラック間においても連続的には発生しないので、より信頼性の高い決定を可能にするために、カウンタ又は他の技術の助けを借りた「フィルタリング」がこの場合必要である。その１つの可能性としては、許されないエッジ順序ｖがｎ個のエッジのシーケンス内に存在することを統計的に評価し、あらかじめ定めた値ｕ＝ｎ−ｖに達しない場合にはトラック間の領域を特定するための信号を出力することから基本的には構成される。これは、例えば、シフトレジスタチェーン９１〜９ｎとカウンタ１０とによって行われる。
【００３６】
各ハイ−ローシーケンスについて、シーケンス検出器８はその各出力につき１つの計数パルスを出力する。シーケンス検出器８の第２の出力信号は、この最後のシーケンスが有効であったか又は無効であったかを特定する。有効又は無効シーケンスに関するこの情報は、あらかじめ定めた長さｎを有するシフトレジスタチェーン９１〜９ｎによって遅延される。カウンタ１０は、シフトレジスタチェーンの前に、有効と認識された全てのシーケンスを増大方向に計数する。無効と記録されたシーケンスは、カウンタの内容を変化させない。シフトレジスタチェーンの後に、有効と認識されたシーケンスは、カウンタ１０を減少方向に歩進させる。この場合も、無効と記録されたシーケンスは、カウンタの内容を変化させない。例えば、１６シーケンスにおける考慮されているシーケンスの場合、１６シーケンスの最大１６個が有効であるかもしれない。考慮されているシーケンスの総数ｎ内で有効なシーケンス数ｎ−ｖがあらかじめ定めた値ｕより小さくなった場合、これがデジタル比較器１１によって検出される。比較器１１の出力信号ＱＵＡＬＩＴＹは、従って、考慮されているシーケンス数内で、許されないシーケンス数があらかじめ定めた値より小さくなったかどうかを示しており、これは２つのトラック間でのスキャニングを表している。さらに、この信号は、再生すべき媒体１８上のスクラッチなどによってＩＮ１及びＩＮ２のエッジの順序が乱されたかどうかをも表すことができる。
【００３７】
さらにまた、ある状況下において、ＭＺＣ検出器６、７がトラック間の領域において起こり得る短いパルス長にも反応するため、このＭＺＣ検出器６、７をマスキングするのに信号ＱＵＡＬＩＴＹを用いても良い。
【００３８】
無効なエッジの数（即ち、単位時間当りの又はエッジのあらかじめ定めた総数に関連して）の統計的評価を可能にする他の予想できる方法が存在することは言うまでもない。
【００３９】
図１の装置によって生成されるＴＥ、ＴＺＣ、ＭＺＣ及びＱＵＡＬＩＴＹ信号は全てトラッキングの基本として、又はドライブユニット１７の制御信号として使用できる。
【００４０】
図２は、ＴＺＣ信号を形成するためのＴＺＣ検出器の例示的な実施形態を概略的に示しており、この検出器は、ＯＲゲート３０、ＡＮＤゲート３１、ＮＡＮＤゲート３２、ＮＯＴゲート３３、ＸＯＲゲート３４、ＮＯＲゲート３５、ドライバ３６及びＤフリップフロップ３７を備えている。
【００４１】
図２にも示されている、位相検出器１の出力は、２つのゲートから構成されるＲＳフリップフロップにまず供給される。このフリップフロップの出力ＱＯＵＴＱは、位相検出器の入力における信号エッジのそれぞれの現在の対の順序の符号を表している。信号ＱＯＵＴＱが「Ｈ」である場合は、ＩＮ１のエッジがＩＮ２よりも前であったことを示している。信号ＱＯＵＴＱが「Ｌ」である場合は、信号ＩＮ１及びＩＮ２の順序がこれとは逆であったことを示している。この方向に関する情報は、３ビットのアップダウンカウンタ４の計数方向を制御する。このカウンタは、計数方向に応じて、ＩＮ１又はＩＮ２で生じる各エッジにおいてカウントアップ又はダウンする。図示した例では、カウンタを０から７へ又はその逆へ計数させるのに、同じ順序の少なくとも８つの連続するエッジが必要である。既に述べたように、トラック中心の近傍におけるエッジの順序は均一ではない。従って、前述したＲＳフリップフロップの出力は変化する。しかしながら、他の順序のエッジよりも多い、特定順序の平均で８つのエッジが存在する場合、カウンタ４はその内容が０又は７に到達する。カウンタ４は、その下限に達した場合にＲＳフリップフロップ５をセットし、上限に達した場合にＲＳフリップフロップ５をリセットする。従って、カウンタ４及び第２のＲＳフリップフロップ５は、ＴＺＣ信号の切替わり動作においてヒステリシスのごとく相互に作用し、トラック中心が過ぎたことを高い信頼性で示すことができる。この場合、ＲＳフリップフロップ５及びその上流に接続されたゲートは、図１に示すデジタル比較器に対応する。
【００４２】
図３は、図２に示した回路における入出力信号ＩＮ１、ＩＮ２、ＥＮＡ、ＳＧＮ、ＱＯＵＴＱ、ＴＺＣ、Ｑ０・・・Ｑ２を例として示す信号図である。
【００４３】
図１及び図２に示す位相比較器は、例示的な実施形態を単に構成している。位相比較器の出力信号は、入力信号の順序（以下に記載すると共に図５に示す信号ＯＵＴ１及びＯＵＴ２参照）に従って、例えば、時間差の大きさ（図３の信号ＥＮＡ参照）及び符号／極性（図３の信号ＳＧＮ参照）か、又は時間差に対応する長さを有するパルスを表している。各場合において、２つの出力のうち１つのみがアクティブである。特に、位相比較器１は、２つの入力信号間の時間差を可変パルス長としてではなくデジタル信号値として次段へ送るデジタル位相比較器の形態で構成することが可能である。
【００４４】
図４は、図１のものに比して改良されたＭＺＣ検出器の例示的な実施形態を示している。位相検出器１はここではブロックとして示されている。図１においては信号ＯＵＴ１及びＯＵＴ２用の共通パルス長検出器を用いているが、図４では２つのパルス長検出器７（単安定マルチバイブレータによって実現されている）が使用されている。単安定マルチバイブレータ７のそれぞれの出力は、ＯＵＴ１及びＯＵＴ２の現在測定されたパルス長が単安定マルチバイブレータによってあらかじめ定められたパルス長を越えたか又は下回ったかを示している。信号１＿ＬＯＮＧ＿Ｍは、例えば、信号ＩＮ１のエッジが信号ＩＮ２のエッジより前であるが第１の単安定マルチバイブレータによってあらかじめ定められた期間（ＯＵＴ１におけるパルス長）内に発生しているかどうかを示している。信号２＿ＬＯＮＧ＿Ｍは、ＩＮ１及びＩＮ２のエッジの順序が逆の場合の同様な内容を示している。
【００４５】
図２に示したＴＺＣ検出器と同様に、あらかじめ定めたパルス長の近傍においてＭＺＣ信号が連続して切替わることを防止するため、この場合、カウンタ２３とＲＳフリップフロップとによってヒステリシスが生成せしめられる。ＭＺＣ検出器の一部として、ＭＺＣ信号は、信号ＳＨＯＲＴ１及びＳＨＯＲＴ２、即ち２つのＲＳフリップフロップ２４の出力信号、を組み合わせた論理積（ＡＮＤ）から形成される。
【００４６】
図５は、図４に示す回路の入出力信号を例示的に示す信号図である。
【００４７】
図６は、図１に関連して既に述べた信号ＱＵＡＬＩＴＹを生成するために用いられる信号品質検出器の例示的な実施形態を概略的に示している。
【００４８】
最も重要なブロックは、シーケンス検出器８である。その役割は、既に述べたように（図１参照）、信号ＩＮ１及びＩＮ２相互の休止サイクル又は正しくないシーケンスを認識することである。２つの入力信号の各ハイ−ローシーケンスいついて、シーケンス検出器８は、その出力端子Ｔ１に計数パルスを出力する。その第２の出力信号Ｘ０は、この最後のシーケンスが有効又は無効であったかを特定する。有効又は無効シーケンスに関するこの情報は、例えば４つのシフトレジスタチェーンによって遅延される。Ｔ１の各立下りエッジにおいて、カウンタ１０（２ビットカウンタ）は、シフトレジスタチェーンの前に、有効と認識された全てのシーケンスを増大方向に計数する。無効と記録されたシーケンスは、カウンタの内容を変化させない。シフトレジスタチェーンの後に、有効と認識されたシーケンスは、Ｔ１の各立下りエッジにおいて、カウンタ１０を減少方向に歩進させる。この場合も、無効と記録されたシーケンスは、カウンタの内容を変化させない。制御信号ＣＮＴＥＮＡ及びＣＮＴＵＰは、この動作を可能にさせる。
【００４９】
カウンタの内容は、信号ＩＮ１及びＩＮ２の考慮されたシーケンスのいくつが正しかったかを再生する。図６に示した例では、シフトレジスタＸ１〜Ｘ４に最大４つの有効なシーケンスを格納できるので、カウンタ１０は値０・・・３を呈することができる。
【００５０】
２ビット比較器１１は、有効なシーケンスの現在の数があらかじめ定めた値を下回ったかどうかをデコードする。図６の例では、信号ＱＵＡＬＩＴＹを「Ｈ」レベルにセットするために全てのシーケンスが正しくなければならない。
【００５１】
図７は、図６における信号の例示的な信号図をもう一度示している。
【００５２】
即ち本発明によれば、光記録媒体１８から読出しする及び／又は光記録媒体へ書込みする装置において、光スキャニングユニット１６が横切った、光記録媒体１８のトラックの正確な計数を可能にするために、いわゆる差動位相検出法によってトラッキングを行うために設けられている位相比較器１の単数又は複数の出力信号（ＯＵＴ１、ＯＵＴ２）からＴＺＣ（トラッキングゼロクロス）信号に対応する信号とＭＺＣ（ミラーゼロクロス）信号に対応する信号とを抽出することが提案される。
【００５３】
図２、図４及び図６は、簡易化のために、小さなビット幅のカウンタ及びシフトレジスタを含む単純化された例示的実施形態を示している。しかしながら、実際には、あいまいではないＴＺＣ、ＭＺＣ及びＱＵＡＬＩＴＹ信号を発生させるために、大きなビット幅のものを使用することが適切である。その場合の要求される複雑性は、光スキャナーのタイプ及び位相比較器１の入力信号に対するその信号品質に従う。
【図面の簡単な説明】
【図１】
本発明の第１の例示的な実施形態として、光記録媒体から読出しする及び／又は光記録媒体へ書込みする装置の概略的なブロック図である。
【図２】
本発明の第２の例示的な実施形態として、ＴＺＣ信号を形成するための回路部の回路図である。
【図３】
図２に示す第２の例示的な実施形態における入出力信号の信号図である。
【図４】
本発明の第３の例示的な実施形態として、ＭＺＣ信号を形成するための回路部の回路図である。
【図５】
図４に示す第３の例示的な実施形態における入出力信号の信号図である。
【図６】
本発明の第４の例示的な実施形態として、図１に示した訂正信号を形成するための回路部の回路図である。
【図７】
図６に示す第４の例示的な実施形態における入出力信号の信号図である。
【符号の説明】
１　位相比較器
２、３　スイッチ
４、１０、２３　カウンタ
５、１１　デジタル比較器
６　論理ＯＲ機能
７　パルス長検出器
８　シーケンス検出器
９１〜９ｎ　シフトレジスタチェーン
１３　光源
１４　コリメータレンズ
１５　半透過ミラー
１６　対物レンズ
１７　ドライブユニット
１８　光記録媒体
１９　凸レンズ
２０　４分割検出器
２１、２２　加算点
３０　ＯＲゲート
３１　ＡＮＤゲート
３２　ＮＡＮＤゲート
３３　ＮＯＴゲート
３４　ＸＯＲゲート
３５　ＮＯＲゲート
３６　ドライバ
３７　Ｄフリップフロップ
２４　ＲＳフリップフロップ
【国際公開パンフレット】
2004507026.tif 000003
2004507026.tif 000004
2004507026.tif 000005
2004507026.tif 000006
2004507026.tif 000007
2004507026.tif 000008
2004507026.tif 000009
2004507026.tif 000010
2004507026.tif 000011
2004507026.tif 000012
2004507026.tif 000013
2004507026.tif 000014
2004507026.tif 000015
2004507026.tif 000016
2004507026.tif 000017
2004507026.tif 000018
2004507026.tif 000019
2004507026.tif 000020
2004507026.tif 000021
2004507026.tif 000022
2004507026.tif 000023
2004507026.tif 000024
2004507026.tif 000025
2004507026.tif 000026
2004507026.tif 000027
2004507026.tif 000028
2004507026.tif 000029
2004507026.tif 000030
2004507026.tif 000031
2004507026.tif 000032
2004507026.tif 000033
2004507026.tif 000034
2004507026.tif 000035
2004507026.tif 000036
【手続補正書】
【提出日】平成14年8月22日(2002.8.22)
【手続補正１】
【補正対象書類名】明細書
【補正対象項目名】特許請求の範囲
【補正方法】変更
【補正の内容】
【特許請求の範囲】
【請求項１】
トラッキングデバイス（１７）と、少なくとも２つの感光領域を有する光検出器（２０）と、差動位相検出法によってトラッキングを行うための位相比較器（１）とを具備しており、前記位相比較器（１）が前記少なくとも２つの感光領域の第１及び第２の領域にそれぞれ関連する第１及び第２の入力信号（ＩＮ１、ＩＮ２）を有しており、前記トラッキングデバイス（１７）が前記位相比較器（１）の第１及び第２の出力信号（ＯＵＴ１、ＯＵＴ２；ＥＮＡ、ＱＯＵＴＱ、ＳＧＮ）の両方から形成されるトラッキング信号（ＴＥ）に応じる形でスキャニングビームを制御し、前記出力信号（ＯＵＴ１、ＯＵＴ２；ＥＮＡ、ＱＯＵＴＱ、ＳＧＮ）が前記第１及び第２の入力信号の位相差の量及び該位相差の符号を表している、光記録媒体から読出しする及び／又は光記録媒体へ書込みする装置におけるトラッキング方法であって、
スキャニングビームが前記光記録媒体のトラック中心を横切ったことを示す第１の制御信号と、スキャニングビームによって現在検出された光記録媒体の領域がトラックであるのか又は２つのトラック間の領域であるのかを提示する第２の制御信号との両方が、前記位相比較器（１）の両方の出力信号（ＯＵＴ１、ＯＵＴ２；ＥＮＡ、ＱＯＵＴＱ、ＳＧＮ）から形成され、トラックジャンプ動作中、前記トラッキングデバイス（１７）を制御するために使用されることを特徴とするトラッキング方法。
【請求項２】
前記第１の制御信号が、前記位相比較器（１）の出力信号（ＯＵＴ１、ＯＵＴ２）における、該位相比較器（１）の入力信号（ＩＮ１、ＩＮ２）間の時間差を表す時間差値及び関連する極性を評価することによって形成されることを特徴とする請求項１に記載の方法。
【請求項３】
前記第１の制御信号が、前記位相比較器（１）の出力信号（ＯＵＴ１、ＯＵＴ２）における、個々の時間差値及び関連する極性を統計学的に評価することによって形成されることを特徴とする請求項２に記載の方法。
【請求項４】
前記第１の制御信号が、前記位相比較器（１）の出力信号（ＯＵＴ１、ＯＵＴ２）における、個々の時間差値及び関連する極性をあらかじめ定めた期間内に決定し、その結果をあらかじめ定めた値と比較することによって形成されることを特徴とする請求項３に記載の方法。
【請求項５】
前記第１の制御信号が、前記位相比較器（１）の出力信号（ＯＵＴ１、ＯＵＴ２）における同一極性の時間差値のあらかじめ定めた最小数を計数し、該カウンタの内容を評価することによって形成されることを特徴とする請求項３又は４に記載の方法。
【請求項６】
同一極性の時間差値の前記最小数が前記位相比較器の出力信号（ＯＵＴ１、ＯＵＴ２）における時間差値のあらかじめ定めた数内で生じる場合に、前記第１の制御信号の状態が変化することを特徴とする請求項５に記載の方法。
【請求項７】
前記第２の制御信号が、前記位相比較器（１）の出力信号（ＯＵＴ１、ＯＵＴ２）における、該位相比較器（１）の入力信号（ＩＮ１、ＩＮ２）間の時間差を表す、時間差値の大きさを評価することによって形成されることを特徴とする請求項１から６のいずれか１項に記載の方法。
【請求項８】
前記第２の制御信号が、前記位相比較器（１）の出力信号（ＯＵＴ１、ＯＵＴ２）の個々の時間差値の大きさを統計学的に評価することによって形成されることを特徴とする請求項７に記載の方法。
【請求項９】
前記第２の制御信号が、前記位相比較器（１）の出力信号（ＯＵＴ１、ＯＵＴ２）の個々の時間差値の大きさをあらかじめ定めた期間内に平均し、その結果があらかじめ定めた時間差ウィンドウ内に存在するかどうかを調べることによって形成されることを特徴とする請求項８に記載の方法。
【請求項１０】
前記位相比較器（１）の出力信号（ＯＵＴ１、ＯＵＴ２）における時間差値のあらかじめ定めた数内に、その大きさがあらかじめ定めた時間差ウィンドウ内に存在している時間差値が特定の最小数存在する場合に、前記第２の制御信号の状態が変化することを特徴とする請求項９に記載の方法。
【請求項１１】
前記第２の制御信号が、前記位相比較器（１）の出力信号（ＯＵＴ１、ＯＵＴ２）内に含まれておりかつ前記第２の制御信号の生成において考慮される意図のないエッジシーケンスについての提示を含んでいる第３の制御信号（ＱＵＡＬＩＴＹ）によって訂正されることを特徴とする請求項１から１０のいずれか１項に記載の方法。
【請求項１２】
前記第３の制御信号（ＱＵＡＬＩＴＹ）が、前記位相比較器（１）の入力信号（ＩＮ１、ＩＮ２）から抽出されることを特徴とする請求項１１に記載の方法。
【請求項１３】
前記位相比較器（１）の一方の入力信号の特定のエッジシーケンスが該位相比較器（１）の他方の入力信号内にも含まれているかどうかを調べ、該調べたことによって、２つの入力信号（ＩＮ１、ＩＮ２）の１つより多いエッジが異なる順序を有していると確認した場合に、該エッジシーケンスは前記第２の制御信号の生成において考慮されものではないと認識し、それに応じて前記第３の制御信号（ＱＵＡＬＩＴＹ）を生成することを特徴とする請求項１２に記載の方法。
【請求項１４】
ｎ個のエッジのシーケンス内に含まれておりかつ考慮されるものではない、前記位相比較器（１）の入力信号（ＩＮ１、ＩＮ２）のエッジシーケンスの数が検出され、この数に従う形で、前記第３の制御信号（ＱＵＡＬＩＴＹ）が生成されることを特徴とする請求項１３に記載の方法。
【請求項１５】
前記第３の制御信号（ＱＵＡＬＩＴＹ）が、スキャニングビームによって現在検出された光記録媒体の領域が２つのトラック間の領域であることを示していることを特徴とする請求項１１から１４のいずれか１項に記載の方法。
【請求項１６】
スキャニングビームによって現在検出された光記録媒体の領域が乱されたかどうかを提示する第３の制御信号（ＱＵＡＬＩＴＹ）が前記位相比較器（１）の入力信号（ＩＮ１、ＩＮ２）から生成され、該第３の制御信号（ＱＵＡＬＩＴＹ）が前記トラッキングデバイス（１７）を制御するために使用されることを特徴とする請求項１から１５のいずれか１項に記載の方法。
【請求項１７】
トラッキングデバイス（１７）と、少なくとも２つの感光領域を有する光検出器（２０）と、差動位相検出法によってトラッキングを行うための位相比較器（１）とを具備しており、前記位相比較器（１）が前記少なくとも２つの感光領域の第１及び第２の領域にそれぞれ関連する第１及び第２の入力信号（ＩＮ１、ＩＮ２）を有すると共に前記第１及び第２の入力信号の位相差の量及び該位相差の符号を表す第１及び第２の出力信号（ＯＵＴ１、ＯＵＴ２；ＥＮＡ、ＱＯＵＴＱ、ＳＧＮ）を提供し、前記第１及び第２の出力信号（ＯＵＴ１、ＯＵＴ２；ＥＮＡ、ＱＯＵＴＱ、ＳＧＮ）の両方からトラッキング信号（ＴＥ）を発生する手段がさらに具備された、光記録媒体から読出しする及び／又は光記録媒体へ書込みする装置であって、
前記位相比較器（１）の第１及び第２の出力信号（ＯＵＴ１、ＯＵＴ２；ＥＮＡ、ＱＯＵＴＱ、ＳＧＮ）の両方に従い、スキャニングビームが前記光記録媒体のトラック中心を横切ったことを示す第１の制御信号を生成する第１の信号発生デバイス（４、５）と、前記位相比較器（１）の前記同一の第１及び第２の出力信号（ＯＵＴ１、ＯＵＴ２；ＥＮＡ、ＱＯＵＴＱ、ＳＧＮ）に従い、スキャニングビームによって現在検出された光記録媒体の領域がトラックであるのか又は２つのトラック間の領域であるのかを提示する第２の制御信号を生成する第２の信号発生デバイス（６、７）とを備えており、トラックジャンプ動作中、前記トラッキングデバイス（１７）が前記第１の制御信号及び前記第２の制御信号に従って制御されることを特徴とする光記録媒体から読出しする及び／又は光記録媒体へ書込みする装置。
【請求項１８】
前記第１の信号発生デバイス（４、５）が、前記第１の制御信号を、前記位相比較器（１）の出力信号（ＯＵＴ１、ＯＵＴ２）における、該位相比較器（１）の入力信号（ＩＮ１、ＩＮ２）間の時間差を表す時間差値及び関連する極性の評価に応じて形成するように構成されていることを特徴とする請求項１７に記載の装置。
【請求項１９】
前記第１の信号発生デバイス（４、５）が、前記第１の制御信号を、前記位相比較器（１）の出力信号（ＯＵＴ１、ＯＵＴ２）における、個々の時間差値及び関連する極性の統計学的評価に応じて形成するように構成されていることを特徴とする請求項１８に記載の装置。
【請求項２０】
前記第１の信号発生デバイス（４、５）が、前記位相比較器（１）の出力信号（ＯＵＴ１、ＯＵＴ２）における、個々の時間差値及び関連する極性をあらかじめ定めた期間内に平均し、その結果をあらかじめ定めた値と比較するように構成されていることを特徴とする請求項１９に記載の装置。
【請求項２１】
前記第１の信号発生デバイスが、前記位相比較器（１）の出力信号（ＯＵＴ１、ＯＵＴ２）における同一極性の時間差値のあらかじめ定めた最小数を計数するカウンタデバイス（４）と、該カウンタデバイス（４）の内容に従って前記第１の制御信号を形成する比較デバイス（５）とを備えていることを特徴とする請求項２０に記載の装置。
【請求項２２】
前記第２の信号発生デバイス（６、７）が、前記第２の制御信号を、前記位相比較器（１）の出力信号（ＯＵＴ１、ＯＵＴ２）における、該位相比較器（１）の入力信号（ＩＮ１、ＩＮ２）間の時間差を表す、時間差値の大きさの評価に応じて形成するように構成されていることを特徴とする請求項１７から２１のいずれか１項に記載の装置。
【請求項２３】
前記第２の信号発生デバイス（６、７）が、前記第２の制御信号を、前記位相比較器（１）の出力信号（ＯＵＴ１、ＯＵＴ２）の個々の時間差値の大きさの統計学的評価に応じて形成するように構成されていることを特徴とする請求項２２に記載の装置。
【請求項２４】
前記第２の信号発生デバイス（６、７）が、前記第２の制御信号を、前記位相比較器（１）の出力信号（ＯＵＴ１、ＯＵＴ２）の個々の時間差値の大きさをあらかじめ定めた期間内に平均し、その結果があらかじめ定めた時間差ウィンドウ内に存在するかどうかを調べることによって形成するように構成されていることを特徴とする請求項２３に記載の装置。
【請求項２５】
前記第２の信号発生デバイスが、前記位相比較器（１）の出力信号（ＯＵＴ１、ＯＵＴ２）のパルスのパルス長を検出するパルス長検出デバイス（７）を備えており、該検出したパルス長に応じて前記第２の制御信号を発生することを特徴とする請求項２２から２４のいずれか１項に記載の装置。
【請求項２６】
前記位相比較器（１）の出力信号（ＯＵＴ１、ＯＵＴ２）用に共通パルス長検出デバイス（７）が設けられており、該位相比較器（１）の前記出力信号（ＯＵＴ１、ＯＵＴ２）が、論理ＯＲ回路（６）を介して共通パルス長検出デバイス（７）へ送られることを特徴とする請求項２５に記載の装置。
【請求項２７】
前記位相比較器（１）の出力信号（ＯＵＴ１、ＯＵＴ２）用に独立した複数のパルス長検出デバイス（７）が設けられており、該パルス長検出デバイス（７）の出力信号が、前記第２の制御信号を発生するために論理ＡＮＤ回路へ送られることを特徴とする請求項２５に記載の装置。
【請求項２８】
前記パルス長検出デバイス（７）が、単安定マルチバイブレータ回路の形態で構成されていることを特徴とする請求項２７に記載の装置。
【請求項２９】
特にカウンタデバイス（２２）及びフリップフロップ回路（２４）の組み合わせの形態であるデジタルフィルタ回路が、前記独立したパルス長検出デバイス（７）及び前記論理ＡＮＤ回路間に設けられていることを特徴とする請求項２７又は２８に記載の装置。
【請求項３０】
前記位相比較器（１）の出力信号（ＯＵＴ１、ＯＵＴ２）内に含まれておりかつ前記第２の制御信号の生成において考慮される意図のないエッジシーケンスについての提示を含んでいる第３の制御信号（ＱＵＡＬＩＴＹ）を生成する訂正信号発生デバイス（８〜１１）を備えていることを特徴とする請求項１７から２９のいずれか１項に記載の装置。
【請求項３１】
前記訂正信号発生デバイス（８〜１１）が、前記位相比較器（１）に送られる入力信号（ＩＮ１、ＩＮ２）を監視し、前記位相比較器（１）の一方の入力信号の特定のエッジシーケンスが該位相比較器（１）の他方の入力信号内にも含まれているかどうかを調べ、該位相比較器（１）の入力信号において１つより多いエッジの順序が異なっているかどうかに応じて訂正信号（ＱＵＡＬＩＴＹ）を生成するように構成されていることを特徴とする請求項３０に記載の装置。
【請求項３２】
前記第２の信号発生デバイス（６、７）の出力信号及び前記訂正信号発生デバイス（８〜１１）の第３の制御信号が、その出力信号が前記第２の制御信号に対応する論理ＡＮＤ回路（１２）へ送られることを特徴とする請求項３０又は３１に記載の装置。
【請求項３３】
前記第１の出力信号（ＯＵＴ１）が前記第２の入力信号（ＩＮ２）に対して前記第１の入力信号（ＩＮ１）の位相が先行する量を表しており、前記第２の出力信号（ＯＵＴ２）が前記第１の入力信号（ＩＮ１）に対して前記第２の入力信号（ＩＮ２）の位相が先行する量を表していることを特徴とする請求項１に記載の方法又は請求項１７に記載の装置。
【請求項３４】
前記第１の出力信号（ＥＮＡ）が前記第１の入力信号（ＩＮ１）及び前記第２の入力信号（ＩＮ２）間の位相差を表しており、前記第２の出力信号（ＱＯＵＴＱ、ＳＧＮ）が前記第１及び第２の入力信号（ＥＮＡ、ＱＯＵＴＱ、ＳＧＮ）のうちのどちらの位相が先行するかを表していることを特徴とする請求項１に記載の方法又は請求項１７に記載の装置。
【国際調査報告】
2004507026.tif 000037
2004507026.tif 000038
2004507026.tif 000039